(57)【特許請求の範囲】
【請求項１】
第一レンズ及び第二レンズであって、少なくとも前記第一レンズが、内部の電気活性領域と、前記電気活性領域に対して電気的に接続する縁の電気的接触部と、を有する、第一レンズ及び第二レンズと、
制御装置と、
前記第一レンズに近接して配置された第一接触部と、前記第一接触部を前記制御装置に電気的に接続する一本以上のワイヤと、を有するフレームと、
前記第一レンズの前記電気的接触部と前記フレームの第一接触部とを電気的に接続する第一導電性素子であって、導電性エラストマー材料から少なくとも部分的に形成されている、第一導電性素子と、
前記第一導電性素子と前記電気的接触部との間に設けられ、かつ、前記電気的接触部と接する面にスコーリングを有する、導電性プライマ層及び導電性ペイント層と、を備えた、
電気活性光学システム。
【請求項２】
前記第一導電性素子、前記導電性ペイント層、前記導電性プライマ層及び前記電気的接触部が、この順に配列される、請求項１に記載の電気活性光学システム。
【請求項３】
前記第一導電性素子の前記フレームから前記第一レンズに対して露出する部分が、前記導電性プライマ層及び前記導電性ペイント層により被覆される、請求項１に記載の電気活性光学システム。
【請求項４】
前記第一導電性素子は、前記フレームから前記第一レンズに対して突出した突出部分を有し、
前記突出部分の周囲が、前記導電性プライマ層及び前記導電性ペイント層により被覆される、請求項１に記載の電気活性光学システム。
【請求項５】
前記制御装置が、前記フレームの上又は内部に配置されている、請求項１に記載の電気活性光学システム。
【請求項６】
前記第一導電性素子が、第一キャビティ内に配置されている、請求項１に記載の電気活性光学システム。
【請求項７】
前記第一キャビティが、前記第一レンズの外縁に形成された溝、前記フレームの内縁に形成された溝、又はこれらの組み合わせによって形成されている、請求項６に記載の電気活性光学システム。
【請求項８】
眼鏡である、請求項１から７の何れか一項に記載の電気活性光学システム。
【発明の詳細な説明】
【技術分野】
【０００１】
［関連出願の相互参照］
本願は、２０１２年４月２５日出願の米国仮出願第６１／６３８２９０号の優先権を主張し、その全内容は参照として本願に組み込まれる。
【０００２】
本発明は、一般的に、電気活性光学構造を採用した一つ以上のレンズを有する眼鏡等の電気活性光学システムに関する。一部実施形態では、本発明は、レンズとフレームとの間にフレキシブル導電性接続部を有する電気活性光学システムに関する。
【背景技術】
【０００３】
特定の電気活性光学システムは、電気活性光学構造を有する一つ以上のレンズを含む。多くの場合、こうした構造は、レンズの内部に存在し、制御ユニットから物理的に離隔される。眼鏡等の場合によっては、制御ユニットは、フレームの一部に存在し、又は、フレーム外部にあり、フレームを介してレンズに接続し得る。このような場合、レンズは、例えば、電気活性光学構造をレンズの縁の接触部に接続する透明導電性構造（例えば、導電性ライン）を有し得る。制御ユニットと電気的に繋がるため、レンズの縁のこうした接触部は、フレームの一部である電気的接触部と電気的に繋がらなければならない。
【０００４】
場合によっては、レンズの接触部は、フレームの一つ以上の接触部と並ぶように配置されて、レンズをフレームに入れた際に、電気的接続部が設けられるようにすることができる。しかしながら、時間が経つと、レンズとフレームの接続は緩み得る。従って、レンズとフレームとの間に存在する導電性で予め形成された変形可能体を用いることもできる。この変形可能体は、ロバストな電気的接続部を提供することができ、フレームとレンズとの間の物理的接続が緩くなったとしても接触を維持する。しかしながら、時間が経つと、こうした接続部は、物理的接触に因るものであるので、不良となり得る。
【先行技術文献】
【特許文献】
【０００５】
【特許文献１】米国特許第６６１９７９９号明細書
【特許文献２】米国特許第７２９０８７５号明細書
【特許文献３】米国特許第６６２６５３２号明細書
【特許文献４】米国特許第７００９７５７号明細書
【特許文献５】米国特許出願公開第２０１３／００２７６５５号明細書
【発明の概要】
【発明が解決しようとする課題】
【０００６】
従って、時間が経ってフレームが緩くなったとしてもロバストであり続ける導電性変形可能接続部を開発することが望まれている。
【課題を解決するための手段】
【０００７】
少なくとも一つの態様において、本発明は、第一レンズ及び第二レンズ（第一レンズは、内部の電気活性領域と、縁の電気的接触部と、電気活性領域を縁の接触部に電気的に接続する透明ワイヤとを備える）と、制御装置と、フレーム（フレームは、第一レンズに近接して配置された第一接触部と、第一接触部を制御装置に電気的に接続する一本以上のワイヤとを備える）と、第一レンズの縁の接触部をフレームの第一接触部に電気的に接続する第一導電性素子とを備え、その第一導電性素子は、第一のレンズの縁の接触部及びフレームの接触部に接着する導電性エラストマー材料から少なくとも部分的に形成される。
【０００８】
他の態様において、本発明は、眼鏡レンズとフレームとの間に電気的接続部を形成する方法を提供し、本方法は、内部の電気活性領域と、縁の電気的接触部と、電気活性領域を縁の接触部に電気的に接続する透明ワイヤとを備えた眼鏡レンズを提供するステップと、フレームの内部に配置された電気的接触部を備えたフレームを提供するステップと、眼鏡レンズの電気的接触部とフレームの電気的接触部との間に流動性導電材料を配置するステップとを備え、その流動性導電材料は硬化性材料である。
【０００９】
本発明の更なる態様及び実施形態は、以下の詳細な説明及び添付図面に与えられている。
【００１０】
本願は以下説明する図面を含む。これらの図面は、本発明の多様な態様における特定の例示的な実施形態を示す。場合によっては、図面は、本発明の実際の実施形態の縮尺通りの図面を必ずしも提供するものではなく、例示目的で特定の特徴が強調され得る。図面は、特に断らない限り、特許請求の範囲を限定するものではない。
【図面の簡単な説明】
【００１１】
【図１】本発明の特定の実施形態に係るレンズを示す。
【図２】本発明の一実施形態に係る眼鏡を示す。
【図３】本発明の一実施形態に係るフレームとレンズとの間のインターフェースを示す。
【図４】本発明の一実施形態に係るフレームとレンズとの間のインターフェースを示す。
【図５】本発明の一実施形態に係るフレームとレンズとの間のインターフェースを示す。
【図６】本発明の一実施形態に係るフレームとレンズとの間のインターフェースにおける層の配置を示す。
【図７】本発明の一実施形態に係るフレームとレンズとの間のインターフェースにおける層の配置を示す。
【図８】本発明の一実施形態に係るフレームとレンズとの間のインターフェースにおける層の配置を示す。
【図９】本発明の一実施形態に係るフレームとレンズとの間のインターフェースにおける層の配置を示す。
【図１０】本発明の一実施形態に係るフレームとレンズとの間のインターフェースにおける層の配置を示す。
【図１１】本発明の一実施形態に係るフレームとレンズとの間のインターフェースにおける層の配置を示す。
【図１２】本発明の一実施形態に係るフレームとレンズとの間のインターフェースにおける層の配置を示す。
【図１３】眼鏡レンズとフレームとの間に電気的接続部を形成する方法の一実施形態を示すフローチャートを示す。
【図１４】眼鏡レンズとフレームとの間に電気的接続部を形成する方法の一実施形態を示すフローチャートを示す。
【図１５】眼鏡レンズとフレームとの間に電気的接続部を形成する方法の一実施形態を示すフローチャートを示す。
【図１６】眼鏡レンズとフレームとの間に電気的接続部を形成する方法の一実施形態を示すフローチャートを示す。
【発明を実施するための形態】
【００１２】
以下の説明は、本発明の多様な態様及び実施形態を記載する。いずれの実施形態も本発明の範囲を定めるものではない。むしろ、実施形態は、少なくとも本発明の範囲内に含まれる非限定的で多様な構成、装置及び方法を単に提供するものである。以下の説明は、当業者の観点から読まれるものであり、当業者に周知の情報については必ずしも含まれていない。
【００１３】
本願において、単数形での表記は、特に断らない限り、複数形での表記を含むものである。
【００１４】
本願において、“又は”との接続詞は、離接的な組を意味するものではない。従って、“Ａ又はＢが存在する”との記載は、以下のいずれかの場合を含む：（ａ）Ａが存在し、Ｂが存在しない；（ｂ）Ａが存在せず、Ｂが存在する；（ｃ）Ａ及びＢが両方とも存在する。従って、“又は”との記載は、特に断らない限り、二者択一を意味するものではない。
【００１５】
本願において、“備える”との記載は、オープンエンド形式のものであり、記載された要素に加えて、他の要素が存在し得る。
【００１６】
特に断らない限り、本明細書で用いられている構成要素の量、反応条件等を表す全ての数は、全ての場合において“略”との用語によって修正されるものとして理解される。従って、特に断らない限り、以下の説明において与えられる数値パラメータは、本発明によって得ることが想定される所望の特性に応じて、変化し得る近似である。最低限において、特許請求の範囲に対する均等論の適用に限定されることなく、各数値パラメータは、少なくとも報告されている多数の数字を考慮して、また四捨五入を適用して解釈されるものである。
【００１７】
本発明の広範な範囲を与える数値範囲及びパラメータは近似であるが、具体的な例において与えられる数値は可能な限り厳密に報告されている。しかしながら、あらゆる数値は、個々の試験測定における標準偏差に起因して、不可避的に誤差を含む。更に、本願で開示されるあらゆる範囲は、その範囲に含まれる全ての部分的な範囲を含むものと理解される。例えば、“１から１０”との範囲は、１という最小値と、１０という最大値との間（境界値を含む）のあらゆる部分的な範囲を含むものとして理解され、つまり、あらゆる範囲は、１以上の最小値（例えば１から６．１）で始まり、１０以下の最大値（例えば５．５から１０）で終わる。
【００１８】
少なくとも一つの態様において、本発明は、眼鏡を提供し、その眼鏡は、第一レンズ及び第二レンズ（第一レンズは、内部に電気活性領域、縁に電気的接触部を備え、また、電気活性領域を縁の接触部に電気的に接続する透明ワイヤを備える）と、制御装置と、フレーム（フレームは、第一レンズに近接して配置された第一接触部と、第一接触部を制御装置に電気的に接続する一本以上のワイヤを備える）と、第一レンズの縁の接触部をフレームの第一接触部に電気的に接続する第一導電性素子（第一導電性素子は、第一レンズの縁の接触部及びフレームの接触部に接着する導電性エラストマー材料で少なくとも部分的に形成されている）とを備える。
【００１９】
一部実施形態では、第一レンズ及び第二レンズはフレームに配置される。本発明は、特定のフレーム設計に限定されるものではなく、フレームが眼鏡の物理的支持を提供して、最適な視力矯正のために着用者の顔に対して眼鏡の適切な位置を維持するのに役立ちさえすればよい。一部実施形態では、フレームは、第一レンズ及び第二レンズの外縁全体を包む構造を含む。他の実施形態では、フレームは、第一レンズ及び第二レンズの一部のみ（例えば、レンズの上部と、両側の少なくとも一部）を包む構造を含む。他の一部実施形態では、フレームは、第一レンズ及び第二レンズに物理的に取り付けられる構造を備える。このような一部実施形態では、フレームは、第一レンズ又は第二レンズのいずれかの部分を包む構造を含まない。一部実施形態では、フレームは、第一レンズ又は第二レンズに配置される一つ以上の電気活性光学構造体と電気的に繋がる構造（多様な接触部、ワイヤ等）を備える。
【００２０】
眼鏡の複数のレンズのうち少なくとも一つのレンズは、電気活性光学領域を備える。一部実施形態では、第一レンズ及び第二レンズが両方とも電気活性光学領域を備える。電気活性光学領域を有するレンズは、特許文献１、特許文献２、特許文献３、特許文献４、特許文献５等の多様な文献に一般的に記載されており、それらの内容全体は参照として本願に組み込まれる。
【００２１】
本願において、電気活性領域又は電気活性素子とは、電気エネルギーの印加によって変化することができる光学特性を備えたデバイスのことを称する。変化可能な光学特性は、例えば、屈折力、焦点距離、回折効率、被写界深度、光透過率、着色、不透明度、屈折率、色分散、これらの組み合わせ等である。電気活性素子は、二つの基板と、それら二つの基板の間に配置された電気活性材料とから構成され得る。基板は、電気活性材料が漏れることのないように基板内に含まれるような形状及びサイズにされ得る。一つ以上の電極が、電気活性材料に接触する基板の各表面に配置され得る。電気活性素子は、制御装置に動作可能に接続された電源を含み得る。制御装置は、電気接続部を用いて電極に動作可能に接続され得て、各電極に一種以上の電圧を印加する。電極を用いて電気エネルギーを電気活性材料に印加する場合、電気活性材料の光学特性が変化し得る。例えば、電極を用いて電気エネルギーを電気活性材料に印加する場合、電気活性材料の屈折率が変化し得ることによって、電気活性素子の屈折力が変化する。
【００２２】
電気活性素子又は領域は、眼用レンズに埋め込まれるか、又はその表面に取り付けられて、電気活性レンズを形成し得る。代わりに、電気活性素子は、実質的に屈折力を提供しない光学部品に埋め込まれるか、又はその表面に取り付けられて、電気活性光学素子を形成し得る。このような場合、電気活性素子又は領域は、眼用レンズと光学的に繋がり得るが、眼用レンズとは分離、離隔され、又は一体ではない。眼用レンズは、光学基板又はレンズであり得る。
【００２３】
“レンズ”は、光を収束又は発散させるあらゆるデバイス又はデバイスの一部である（つまり、レンズは光を集束させることができる）。レンズは、屈折性、回折性、又はその組み合わせであり得る。レンズは、一方又は両方の表面において凹型、凸型、又は平坦であり得る。レンズは、球形、シリンダー状、プリズム状、又はその組み合わせであり得る。レンズは、光学ガラス、プラスチック、熱可塑性樹脂、熱硬化性樹脂、又は、ガラス及び樹脂の複合材、光学グレードの異なる複数の樹脂又はプラスチックの複合材製であり得る。光学分野においては、屈折力がゼロであっても（平面（度が入っていない）、屈折力が無い）、そのデバイスのことをレンズと称することがある点に留意されたい。この場合、そのレンズのことを、“平面レンズ（度が入っていないレンズ）”と呼ぶことができる。レンズは、従来型でも、非従来型でもあり得る。従来型レンズは、近視、遠視、老眼、正乱視などの低次の収差を含む従来的な眼の異常を矯正する。非従来型レンズは、眼球層の不規則性や異常によって生じ得る高次の収差を含む非従来的な眼の異常を矯正する。レンズは、単焦点レンズ、又は多焦点レンズ（累進多焦点レンズ（累進屈折力レンズ）、二焦点レンズ、三焦点レンズ等）であり得る。対照的に、本願において、“光学部品（ｏｐｔｉｃ）”は、実質的に屈折力を有さず、光を集束させる性能がない（屈折によっても、回折によっても）。“屈折異常”との用語は、従来的な又は非従来的な眼の異常を称し得る。光を方向転換させることは、眼の屈折異常を矯正することにはならない点に留意されたい。従って、例えば、光を網膜の健常な部分に方向転換させることは、眼の屈折異常を矯正することにはならない。
【００２４】
一部実施形態では、電気活性領域は少なくとも一つのキャビティを含み、そのキャビティに電気活性材料が充填される。上記説明に矛盾することなく、このキャビティは、任意の適切な位置に配置され得る。例えば、一部実施形態では、キャビティは、眼用レンズの外側表面又は内側表面に存在する。他の実施形態では、キャビティは密封されたキャビティであり、日常での使用中に電気活性材料がキャビティから出て行くことを防止する。任意の適切な電気活性材料を用いることができ、液晶等の複屈折材料が挙げられるが、これに限定されるものではない。
【００２５】
電気活性領域は、自立セルとして動作することができ、これは、電気又は電位を印加すると、単独で屈折力を変化させることができることを意味する。電気活性領域は、レンズの任意の適切な位置に配置可能である。電気活性領域は、一部実施形態では、電気活性レンズの視野領域全体に配置され、一方、他の実施形態では、電気活性レンズの視野領域の一部のみに配置される。電気活性領域は、レンズの頂部、中部、又は底部付近に配置され得る。電気活性領域は、それ自体で光を集束させることができるようになり得て、光学基板又はレンズと組み合わせる必要がなくなる点に留意されたい。
【００２６】
特定の実施形態では、眼鏡の一方又は両方のレンズが、対象者（つまり、着用者）に対応した眼の屈折異常を矯正する特定の領域を含む。以下の説明は、レンズを単数形で記載するが、着用者に対応した眼に存在する屈折異常に関する補正の程度に関して、説明される特徴を眼鏡の両方のレンズにおいて実現することができることを理解されたい。
【００２７】
一部実施形態では、レンズは、電気活性光学構造を、レンズの縁の一つ以上の接触部に接続する一本以上の導電性ワイヤを備える。一部実施形態では、導電性ワイヤは透明であり、これは、その材料が、可視光の少なくとも７５％、少なくとも８０％、少なくとも８５％、少なくとも９０％、少なくとも９５％、少なくとも９７％、又は少なくとも９９％を透過させることを意味する。導電性ワイヤは、インジウム錫酸化物、導電性ポリマー、それらの組み合わせ等の任意の適切な材料製であり得る。このような一部実施形態では、レンズは、そのレンズの縁に一つ以上の接触部を備え、各接触部が、複数の導電性ワイヤのうち少なくとも一本と電気的に繋がる。これら接触部は、任意の適切な物質製であり得る。これら接触部は、一部実施形態では、透明（上記で定義した通り）であり、他の一部実施形態では、透明ではない。一部実施形態では、これら接触部は、導電性エラストマー材料等の変形可能材料製である。
【００２８】
フレームは、レンズに近接して配置された接触部を備える。一部実施形態では、この接触部は、レンズの縁部に向き合うレンズの内側部分に存在する。一部実施形態では、フレームは、このような接触部を複数備える。このような接触部は、レンズの電気活性光学構造を少なくとも制御する制御ユニットと電気的に繋がる一本以上のワイヤに接続する。本発明は、特定の種類のワイヤに限定されるものではない。一部実施形態では、ワイヤはフレーム外部にあり、又はフレーム自体の一部である。他の一部実施形態では、ワイヤはフレーム内部に含まれる。
【００２９】
眼鏡は制御ユニットを含む。制御ユニットは、任意の適切な方法で眼鏡に接続可能である。一部実施形態では、制御ユニットはフレームの一部ではない。例えば、制御ユニットは、制御ユニットは、ワイヤを介してフレームに接続可能であり、ワイヤを通って接触部に流れる制御信号が電気的に送信され、又は、フレームと無線通信し得る。他の一部実施形態では、制御ユニットは、フレームの外側に配置される。他の一部実施形態では、制御ユニットは、フレームに含まれる。制御ユニットは、レンズ内部の電気活性光学構造の制御等の多様な機能を果たすことができる。
【００３０】
眼鏡は、レンズの縁の接触部をフレームの接触部に電気的に接続する導電性素子も含む。導電性素子は導電材料製である。一部実施形態では、導電材料はエラストマーである。一部実施形態では、導電材料はフレキシブルである。導電性素子がフレキシブル及び／又はエラストマーである実施形態では、導電素子は、時間経過によるフレームとレンズとの間のフィッティングの変化を考慮するように僅かに変形することができる。追加の一部実施形態では、導電材料は、第一レンズの縁の接触部と、フレームの接触部との接着し、これは、分離を生じさせるような力が印加された場合に、その材料がどちらの接触部からの分離にも耐えることを意味する。このような実施形態では、導電性素子は、単に物理的圧縮によって接触部との接触を維持するものではない。このような実施形態では、導電性素子は、接触部に接着するものであるので、圧縮応力下にある必要が全く無く、導電性素子自体が、レンズとフレームとの間のフィッティングの変化に応じて変形することができる。
【００３１】
一部実施形態では、導電性素子は、レンズとフレームとの間のキャビティを少なくとも部分的に埋める。このような一部実施形態では、キャビティは、フレーム、レンズ、又は、フレームとレンズとの両方によって形成される溝によって形成される。
【００３２】
一部実施形態では、特定のコーティングや層を追加して、導電性素子の接着性を改善することができる。従って、一部実施形態では、導電性素子と接触するレンズ又はフレームの一部を、導電性プライマ（下塗剤）、導電性ペイント、導電性ポリマー、又はこれらの任意の組み合わせでコーティングして、導電性素子と接触部との間に接着接触を設けるのを促進することができる。更に、これらの表面を、スコーリング（引掻）等によって物理的に処理することができる。他の一部実施形態では、導電性ゴム片を、いずれか又は両方の接触部と導電性素子との間に配置することができる。
【００３３】
導電性素子は、任意の適切な導電材料から形成可能である。一部実施形態では、導電材料は、導電性コーキング（詰め物）である。一部実施形態では、導電材料は、耐湿性材料である。一部実施形態では、導電材料は、接着性バインダー及び導電性粒子を備える。任意の適切な接着性バインダーを使用することができる。一部実施形態では、接着性バインダーは硬化性材料である。このような一部実施形態では、接着性バインダーは、シリコーン樹脂、エポキシ樹脂、ポリウレタン樹脂、及びこれらの任意の組み合わせから成る群から選択された材料を備える。このような一部実施形態では、接着性バインダーはシリコーン樹脂である。他のこのような一部実施形態では、接着性バインダーはエポキシ樹脂である。他のこのような一部実施形態では、接着性バインダーはポリウレタン樹脂である。導電性粒子については、任意の適切な導電性粒子を使用することができる。一部実施形態では、導電性粒子は、銀粒子、銀コーティングされた粒子（例えば、銀めっきされたアルミニウム、銀めっきされた銅）、ニッケル、ニッケルコーティングされた粒子（例えば、ニッケルコーティングされた炭素）、及びこれらの任意の組み合わせから成る群から選択される。物理的完全性を維持するのに十分なバインダーが存在し、電気伝導を可能にするのに十分な導電性粒子が存在しさえすれば、導電材料は、バインダー対導電性粒子の任意の適切な比率を有することができる。
【００３４】
導電性構造は、フレームからのレンズの分離程度、それに含まれるキャビティに応じて、任意の適切なサイズを有することができる。
【００３５】
導電材料は、他の物質も含み得る。一部実施形態では、導電材料は、その材料を着色するための添加剤を含む。このようにして、物質の色彩を、フレームのものと同様になるように調節することができる。
【００３６】
図１は、本発明の特定の実施形態に係るレンズ１００を示す。レンズ１００は、電気的接触部１０１と、その縁周辺に形成されたキャビティ１０２とを有する。
【００３７】
図２は、本発明の一実施形態に係る眼鏡２００を示し、フレーム２０１に入れられたレンズ１００を含む。眼鏡２００は、制御装置２０２と、ヒンジ２０３と、フレームの接触部２０４と、導電性素子２０５とを有する。
【００３８】
図３は、本発明の一実施形態に係るフレームとレンズとの間のインターフェースを示す。この図は、フレーム３０１と、レンズ３０２と、導電性素子３０３とを示す。
【００３９】
図４は、本発明の一実施形態に係るフレームとレンズとの間のインターフェースを示す。この図は、フレーム４０１と、レンズ４０２と、導電性素子４０３と、導電性プライマ層４０４とを示す。
【００４０】
図５は、本発明の一実施形態に係るフレームとレンズとの間のインターフェースを示す。この図は、フレーム５０１と、レンズ５０２と、導電性素子５０３と、導電性プライマ層５０４と、導電性ペイント層５０５とを示す。
【００４１】
図６は、本発明の一実施形態に係るフレームとレンズとの間のインターフェースにおける層の配置を示す。この図は、露出された接触部を備えたレンズ６０１と、導電性ペイント層６０２と、導電性素子６０３と、導電性ゴム片６０４と、フレームの導電性接触部６０５とを示す。
【００４２】
図７は、本発明の一実施形態に係るフレームとレンズとの間のインターフェースにおける層の配置を示す。この図は、露出された接触部を備えたレンズ７０１と、導電性ペイント層７０２と、導電性素子７０３と、フレームの電気的接触部７０４とを示す。
【００４３】
図８は、本発明の一実施形態に係るフレームとレンズとの間のインターフェースにおける層の配置を示す。この図は、露出された接触部を備えたレンズ８０１と、導電性素子８０２と、フレームの電気的接触部８０３とを示す。
【００４４】
図９は、本発明の一実施形態に係るフレームとレンズとの間のインターフェースにおける層の配置を示す。この図は、露出された接触部を備えたレンズ９０１と、導電性プライマ層９０２と、導電性素子９０３と、フレームの電気的接触部９０４とを示す。
【００４５】
図１０は、本発明の一実施形態に係るフレームとレンズとの間のインターフェースにおける層の配置を示す。この図は、露出された接触部を備えたレンズ１００１と、導電性プライマ層１００２と、導電性ペイント層１００３と、導電性素子１００４と、導電性ゴム片１００５と、フレームの電気的接触部１００６とを示す。
【００４６】
図１１は、本発明の一実施形態に係るフレームとレンズとの間のインターフェースにおける層の配置を示す。この図は、露出された接触部を備えたレンズ１１０１と、導電性ポリマー層１１０２と、導電性素子１１０３と、フレームの電気的接触部１１０４とを示す。
【００４７】
図１２は、本発明の一実施形態に係るフレームとレンズとの間のインターフェースにおける層の配置を示す。この図は、露出された接触部を備えたレンズ１２０１と、導電性ポリマー層１２０２と、導電性素子１２０３と、導電性ゴム片１２０４と、フレームの電気的接触部１２０５とを示す。
【００４８】
他の態様では、本発明は、眼鏡レンズとフレームとの間に電気的接続部を形成する方法を提供する。本方法は、内部の電気活性領域と、縁の電気的接触部と、電気的活性領域を縁の接触部に電気的に接続する透明ワイヤとを備えた眼鏡レンズを提供するステップと、フレームの内部に配置された電気的接触部を備えたフレームを提供するステップと、眼鏡レンズの電気的接触部とフレームの電気的接触部との間に流動性導電材料を配置するステップとを備え、その流動性導電材料は硬化性材料である。
【００４９】
本方法は、内部の電気活性領域と、縁の電気的接触部と、電気活性領域を縁の接触部に電気的に接続する透明ワイヤとを備えた眼鏡レンズを提供するステップを含む。本発明は、これらの特徴を有する任意の適切なレンズを用いることができる。例えば、一部実施形態では、眼鏡レンズは、本開示で上述したいずれかの実施形態に係るレンズであり得る。
【００５０】
また、本方法は、フレームを提供するステップも含み、そのフレームは、フレームの内部に配置される電気的接触部を備える。本発明は、これらの特徴を有する任意の適切なフレームを用いることができる。例えば、一部実施形態では、フレームは、本開示で上述したいずれかの実施形態に係るフレームであり得る。
【００５１】
また、本方法は、眼鏡レンズの電気的接触部とフレームの接触部との間に流動性導電材料を配置する配置ステップも含む。これは、任意の適切な方法で行うことができる。一部実施形態では、その配置ステップは、眼鏡レンズの縁に或る量の流動性導電材料を配置するステップと、流動性導電材料が眼鏡レンズの電気的接触部及びフレームの電気的接触部に接触して電気的に接続するように眼鏡レンズをフレームに入れるステップとを備える。他の一部実施形態では、その配置ステップは、フレームの内部に或る量の導電性流動性材料を配置するステップと、流動性導電材料が眼鏡レンズの電気的接触部及びフレームの電気的接触部に接触して電気的に接続するように眼鏡レンズをフレームに入れるステップとを備える。他の一部実施形態では、その配置ステップは、眼鏡レンズをフレームに入れるステップと、眼鏡レンズとフレームとの間に或る量の流動性導電材料を配置して、流動性導電材料が眼鏡レンズの電気的接触部及びフレームの電気的接触部に接触して電気的に接続するようにするステップとを備える。
【００５２】
一部実施形態では、流動性導電材料は、導電性コーキング等の硬化性材料である。その硬化は、任意の適切な手段によって行うことができ、乾燥、加熱、紫外線等の光照射、化学反応等が挙げられるが、これらに限定されるものではない。一部実施形態では、硬化は乾燥によって行われる。このような一部実施形態では、本方法は、配置ステップに続いて、流動性導電材料を硬化させて、導電性素子を形成するステップを更に備える。
【００５３】
一部実施形態では、導電性素子は、レンズとフレームとの間のキャビティを少なくとも部分的に埋める。このような一部実施形態では、キャビティは、フレーム、レンズ、又は、フレームとレンズの両方に形成された溝によって形成される。
【００５４】
一部実施形態では、特定のコーティングや層をレンズ又はフレームに追加して、導電性素子の接着性を改善することができる。従って、一部実施形態では、導電性素子と接触するレンズ又はフレームの一部を、導電性プライマ、導電性ペイント、導電性ポリマー、又はこれらの任意の組み合わせでコーティングして、導電性素子と接触部との間の接着接触部を形成するのを促進することができる。更に、これらの表面を、スコーリング等によって物理的に処理して、導電性素子と一方又は両方の接触部との間の接着接触を改善することができる。他の一部実施形態では、導電性ゴム片を、いずれか又は両方の接触部と導電性素子との間に配置することができる。
【００５５】
導電性素子は、任意の適切な導電材料から形成可能である。一部実施形態では、導電材料は、導電性コーキングである。一部実施形態では、導電材料は、耐湿性材料である。一部実施形態では、導電材料は、接着性バインダー及び導電性粒子を備える。任意の適切な接着性バインダーを使用することができる。一部実施形態では、接着性バインダーは硬化性材料である。このような一部実施形態では、接着性バインダーは、シリコーン樹脂、エポキシ樹脂、ポリウレタン樹脂、及びこれらの任意の組み合わせから成る群から選択された材料を備える。このような一部実施形態では、接着性バインダーはシリコーン樹脂である。他のこのような一部実施形態では、接着性バインダーはエポキシ樹脂である。他のこのような一部実施形態では、接着性バインダーはポリウレタン樹脂である。導電性粒子については、任意の適切な導電性粒子を使用することができる。一部実施形態では、導電性粒子は、銀粒子、銀コーティングされた粒子（例えば、銀めっきされたアルミニウム、銀めっきされた銅）、ニッケル、ニッケルコーティングされた粒子（例えば、ニッケルコーティングされた炭素）、及びこれらの任意の組み合わせから成る群から選択される。物理的完全性を維持するのに十分なバインダーが存在し、電気伝導を可能にするのに十分な導電性粒子が存在しさえすれば、導電材料は、バインダー対導電性粒子の任意の適切な比率を有することができる。
【００５６】
導電性構造は、フレームからのレンズの分離程度、それに含まれるキャビティに応じて、任意の適切なサイズを有することができる。
【００５７】
導電材料は、他の物質も含み得る。一部実施形態では、導電材料は、その材料を着色するための添加剤を含む。このようにして、物質の色彩を、フレームのものと同様になるように調節することができる。
【００５８】
図１３は、一実施形態における眼鏡レンズとフレームとの間に電気的接続部を形成する方法１３００のフローチャートを示し、本方法は、内部の電気活性領域と、縁の電気的接触部と、電気活性領域を縁の接触部に電気的に接続する透明ワイヤとを備えた眼鏡レンズを提供するステップ１３０１と、フレームの内部に配置された電気的接触部を備えたフレームを提供するステップ１３０２と、眼鏡レンズの電気的接触部とフレームの電気的接触部との間に流動性導電材料を配置するステップ１３０３とを備え、その流動性導電材料は硬化性材料である。
【００５９】
図１４は、一実施形態における眼鏡レンズとフレームとの間に電気的接続部を形成する方法１４００のフローチャートを示し、本方法は、内部の電気活性領域と、縁の電気的接触部と、電気活性領域を縁の接触部に電気的に接続する透明ワイヤとを備えた眼鏡レンズを提供するステップ１４０１と、フレームの内部に配置された電気的接触部を備えたフレームを提供するステップ１４０２と、眼鏡レンズの縁に或る量の流動性導電材料を配置するステップ１４０３と、流動性導電材料が眼鏡レンズの電気接触部及びフレームの電気的接触部に接触して電気的に接続するように眼鏡レンズをフレームに入れるステップ１４０４とを備える。
【００６０】
図１５は、一実施形態における眼鏡レンズとフレームとの間に電気的接続部を形成する方法１５００のフローチャートを示し、本方法は、内部の電気活性領域と、縁の電気的接触部と、電気活性領域を縁の接触部に電気的に接続する透明ワイヤとを備えた眼鏡レンズを提供するステップ１５０１と、フレームの内部に配置された電気的接触部を備えたフレームを提供するステップ１５０２と、フレームの内部に或る量の流動性導電材料を配置するステップ１５０３と、流動性導電材料が眼鏡レンズの電気接触部及びフレームの電気的接触部に接触して電気的に接続するように眼鏡レンズをフレームに入れるステップ１５０４とを備える。
【００６１】
図１６は、一実施形態における眼鏡レンズとフレームとの間に電気的接続部を形成する方法１６００のフローチャートを示し、本方法は、内部の電気活性領域と、縁の電気的接触部と、電気活性領域を縁の接触部に電気的に接続する透明ワイヤとを備えた眼鏡レンズを提供するステップ１６０１と、フレームの内部に配置された電気的接触部を備えたフレームを提供するステップ１６０２と、眼鏡レンズをフレームに入れるステップ１６０３と、眼鏡レンズとフレームとの間に或る量の流動性導電材料を配置して、流動性導電材料が眼鏡レンズの電気接触部及びフレームの電気的接触部に接触して電気的に接続するようにするステップ１６０４とを備える。
【符号の説明】
【００６２】
１００  レンズ
１０１  電気的接触部
１０２  キャビティ
２００  眼鏡
２０１  フレーム
２０２  制御装置
２０３  ヒンジ
２０４  接触部
２０５  導電性素子
３０１  フレーム
３０２  レンズ
３０３  導電性素子
４０１  フレーム
４０２  レンズ
４０３  導電性素子
４０４  導電性プライマ層
５０１  フレーム
５０２  レンズ
５０３  導電性素子
５０４  導電性プライマ層
５０５  導電性ペイント層
【図１】
0006285913.tif 000002
【図２】
0006285913.tif 000003
【図３】
0006285913.tif 000004
【図４】
0006285913.tif 000005
【図５】
0006285913.tif 000006
【図６】
0006285913.tif 000007
【図７】
0006285913.tif 000008
【図８】
0006285913.tif 000009
【図９】
0006285913.tif 000010
【図１０】
0006285913.tif 000011
【図１１】
0006285913.tif 000012
【図１２】
0006285913.tif 000013
【図１３】
0006285913.tif 000014
【図１４】
0006285913.tif 000015
【図１５】
0006285913.tif 000016
【図１６】
0006285913.tif 000017